(57)【要約】      （修正有）【課題】装着した書籍から外れることがなく、材料の歩留まり良く製造できるブックカバーとブックカバーの装着方法を提供する。【解決手段】カバーシート本体２の左右両側に、装着する書籍１２０の最大縦幅の２倍以上の長さの帯状片３，４を書籍１２０の縦幅に合わせて両端を粘着部５，６で粘着し、筒状とした表紙側袋部７と裏表紙側袋部８を一体に備え、書籍１２０の横幅に合わせて折り返されるカバーシートの右側の表紙側袋部７へ表紙１２１を、左側の裏表紙側袋部８へ裏表紙１２２を挿入して書籍１２０の表面側にブックカバーを装着する。表紙側袋部７と裏表紙側袋部８は、粘着部５，６で筒状に形成されるので、形状が崩れることがなく、カバーシート本体２は、表紙１２１と裏表紙１２２を袋状に囲う必要がないので、最大縦幅の２倍未満の縦幅とすることができ、材料の歩留まりが良い。【選択図】図４
2018065365.tif 000002
【特許請求の範囲】
【請求項１】
縦幅と表裏表紙を展開した横幅が異なる複数の書籍のいずれの書籍の表面側にも装着自在のブックカバーであって、
縦幅が前記複数の書籍の縦幅のうちの最大縦幅以上の長さで、横幅が前記複数の書籍の前記横幅のうちの最大横幅以上の長さの矩形状のカバーシート本体と、
前記カバーシート本体の右辺と左辺にそれぞれ帯状に一体に連続し、縦幅が前記最大縦幅の２倍を越える長さの一組の表紙側帯状片及び裏表紙側帯状片と、
前記表紙側帯状片の長手方向の一端側で前記カバーシート本体から鉛直方向に突出する突出端部の裏面に形成され、装着する書籍の縦幅に合わせて裏面側に折り返される前記表紙側帯状片の他端側の表面に粘着し、前記書籍の表紙を挿通する筒状の表紙側袋部を形成する表紙側粘着部と、
前記裏表紙側帯状片の長手方向の一端側で前記カバーシート本体から鉛直方向に突出する突出端部の裏面に形成され、装着する前記書籍の縦幅に合わせて裏面側に折り返される前記裏表紙側帯状片の他端側の表面に粘着し、前記書籍の裏表紙を挿通する筒状の裏表紙側袋部を形成する裏表紙側粘着部とを備え、
前記書籍の表裏表紙を展開した横幅に合わせて左右で裏面側に折り返されるカバーシート本体の右辺に一体に連続する前記表紙側袋部と左辺に一体に連続する前記裏表紙側袋部に、それぞれ前記書籍の表紙と裏表紙が挿通して、前記書籍の表面側に装着されることを特徴とするブックカバー。
【請求項２】
カバーシート本体と表紙側帯状片と裏表紙側帯状片は、極細化学繊維を積層させた不織布からなる可撓性シートで一体に形成されていることを特徴とする請求項１に記載のブックカバー。
【請求項３】
表紙側粘着部と裏表紙側粘着部の粘着層は、一面が突出端部に貼り付けられた再剥離性粘着シートで構成されることを特徴とする請求項２に記載のブックカバー。
【請求項４】
複数の書籍の各書籍の縦幅に合わせて、カバーシート本体と表紙側帯状片と裏表紙側帯状片に複数の水平方向折り筋が形成されていることを特徴とする請求項１乃至請求項３のいずれか１項に記載のブックカバー。
【請求項５】
複数の書籍の各書籍の表裏表紙を展開した横幅に合わせて、カバーシート本体に複数の鉛直方向折り筋が形成されていることを特徴とする請求項１乃至請求項４のいずれか１項に記載のブックカバー。
【請求項６】
縦幅と表裏表紙を展開した横幅が異なる複数の書籍のいずれかの書籍の表面側にブックカバーを装着するブックカバーの装着方法であって、
ブックカバーは、縦幅が前記複数の書籍の縦幅のうちの最大縦幅より長く、横幅が前記複数の書籍の横幅のうちの最大横幅以上の長さの矩形状のカバーシート本体と、
カバーシート本体の右辺と左辺にそれぞれ帯状に一体に連続し、縦幅が前記最大縦幅の２倍を越える長さの一組の表紙側帯状片及び裏表紙側帯状片と、
前記一組の表紙側帯状片及び裏表紙側帯状片の各長手方向の一端側で、カバーシート本体から鉛直方向に突出する突出端部の裏面に形成され、それぞれ表紙側帯状片及び裏表紙側帯状の他端側の表面に粘着する一組の表紙側粘着部及び裏表紙側粘着部とを備え、
ブックカバーを装着する書籍の縦幅に合わせた水平折り返し線に沿って、カバーシート本体とカバーシート本体の右辺と左辺に一体に連続する表紙側帯状片及び裏表紙側帯状片を裏面側に折り返し、
カバーシート本体と共に裏面側に折り返された表紙側帯状片と裏表紙側帯状片の他端側の表面に一端側の突出端部を重ねて、前記各表面に表紙側粘着部と裏表紙側粘着部を粘着し、表紙側帯状片と裏表紙側帯状片を筒状とし、
筒状の表紙側帯状片と裏表紙側帯状片にそれぞれ前記書籍の表紙と裏表紙を挿通した後、水平折り返し線に沿って折り返したカバー本体を、前記書籍の表裏表紙を展開した横幅に合わせた左右の鉛直折り返し線に沿って裏面側に折り返し、
前記書籍の表面側にブックカバーを装着することを特徴とするブックカバーの装着方法。
【発明の詳細な説明】
【技術分野】
【０００１】
本発明は、縦幅と表裏表紙を展開した横幅がそれぞれ異なる複数の書籍のいずれの書籍にも装着できるフリーサイズのブックカバーとブックカバーの装着方法に関する。
【背景技術】
【０００２】
従来、縦幅や表裏表紙を展開した横幅が異なる多種類の書籍のいずれの書籍にも同一のブックカバーを用いて装着可能ないわゆるフリーサイズブックカバーが提供されている。
【０００３】
このうち、特許文献１に記載のブックカバー１００は、長方形のカバーシート本体１０１を、装着する書籍の縦幅に合わせて上下の折り返し片１０１ａ、１０１ｂを、図７に示すように、カバーシート本体１０１の裏面側に折り返して、左右に書籍の表紙と裏表紙を収容する表紙側袋部１０２と裏表紙側袋部１０３を形成し、その後、図８に示すように、書籍の表裏表紙を展開した横幅に合わせて表紙側袋部１０２と裏表紙側袋部１０３を裏面側に折り返して書籍の表面側（図中裏面側）に装着するブックカバー１００を形成する。  
【０００４】
一般にカバーシート本体１０１は、紙などの可撓性シートで形成され、表紙側袋部１０２と裏表紙側袋部１０３を構成する折り返し片１０１ａ、１０１ｂ等が外側に変形し、表紙と裏表紙が抜け出てしまうことがある。そこで、このブックカバー１００では、表紙側袋部１０２と裏表紙側袋部１０３で重ねられるカバーシート本体１０１の対向面に面ファスナー１０４やマグネットを装着して、対向面間を保持し、表紙側袋部１０２と裏表紙側袋部１０３の変形を防いでいる。
【０００５】
また、特許文献２に記載のブックカバー１１０は、書籍１２０の表紙１２１と裏表紙１２２を挿入する表紙側袋部１１１と裏表紙側袋部１１２が変形しないようにその強度を補強する為、カバーシート本体１１３の縦幅を、装着する書籍１２０の縦幅の２倍以上の長さとしている。書籍１２０に装着する際には、図９に示すように、カバーシート本体１１３の上下の折り返し部１１３ａ、１１３ｂを書籍の縦幅に合わせて裏面側で折り返し、折り返し部１１３ａ、１１３ｂの端部を重ねて全体を袋状とし、折り重ねられた帯状の積層部の左右で対向する折り返し部１１３ａ、１１３ｂの対向面間を一対の面ファスナー１１４ａ、１１４ｂで密着し、表紙側袋部１１１と裏表紙側袋部１１２を形成する。
【０００６】
折り返し部１１３ａに固定された一方の面ファスナー１１４ａが積層部で対向する折り返し部１１３ｂの対向位置は、書籍１２０の縦幅によって異なるので、他方の面ファイナー１１４ｂは、折り返し部１１３ｂの左右の側面全体に帯状に形成され、縦幅が異なる書籍１２０であっても、一対の面ファスナー１１４ａ、１１４ｂが確実に対向して密着するようになっている。
【０００７】
表紙側袋部１１１と裏表紙側袋部１１２とは、それぞれ装着する書籍１２０の表裏表紙を展開した横幅に合わせて裏面側に折り返され、図１０に示すように、書籍１２０の表紙１２１と裏表紙１２２を挿入することにより、ブックカバー１１０が書籍１２０の表面側に装着される。
【０００８】
このブックカバー１１０によれば、表紙側袋部１１１と裏表紙側袋部１１２が一体のカバーシート本体１１３を筒状として形成されるので、挿入した表紙１２１や裏表紙１２２から拡径方向の力を受けても変形せず、折り返して形成するブックカバー１１０の形状がくずれない。
【先行技術文献】
【特許文献】
【０００９】
【特許文献１】特開平２００４−９８６６５号公報
【特許文献２】特許第５７１７２９５号公報
【発明の概要】
【発明が解決しようとする課題】
【００１０】
特許文献１に記載のブックカバー１００は、表裏表紙を展開した書籍の横幅に合わせて左右の表紙側袋部１０２と裏表紙側袋部１０３を裏面側に折り返して図８に示す形状とするので、書籍の表紙と裏表紙は、表紙側袋部１０２と裏表紙側袋部１０３を完全に折り返す前でなければ挿入できない。しかしながら表紙側袋部１０２と裏表紙側袋部１０３を折り返す前の表紙や裏表紙を差し込む表紙側袋部１０２と裏表紙側袋部１０３は上下の折り返し片１０１ａ、１０１ｂの間に隙間があるので完全な筒状の形状を保つことができず、表紙や裏表紙を差し込むことによって折り返し片１０１ａ、１０１ｂが外側に開いた状態で折り返され、その結果、書籍に装着した状態では、表紙と表紙側袋部１０２や裏表紙と裏表紙側袋部１０３の間に隙間が生じ、ブックカバー１００が脱落したり、大きく変形するという問題があった。
【００１１】
また、ブックカバー１００は、カバーシート本体１０１の対向面間を密着する面ファスナー１０４の取付け位置が限られているので、任意の縦幅や横幅の書籍に対して共通に使用することができず、更に、折り返し片１０１ａ、１０１ｂを縦方向で位置決めする面ファスナーに加えて、表紙側袋部１０２と裏表紙側袋部１０３を横方向で位置決めする面ファスナーを設ける必要があり、構造が複雑化するものであった。
【００１２】
特許文献２に記載のブックカバー１１０は、上述のブックカバー１００の課題を解決するものであるが、表紙側袋部１１１と裏表紙側袋部１１２の強度を得るために、カバーシート本体１１３の上下の折り返し部１１３ａ、１１３ｂの端部を重ねて全体を筒状としている。その為、カバーシート本体１１３の縦幅は、ブックカバー１１０を装着可能な複数の書籍の縦幅のうち最大の縦幅（以下、最大縦幅という）の２倍に積層部１１３ｃの縦幅を加えた長さとする必要があり、少なくとも最大の大きさの書籍の表裏表紙を展開した展開面積の２倍以上の面積のカバーシート本体１１３を用意する必要があり、歩留まりが悪いものであった。
【００１３】
特に、カバーシート本体１１３は、感触や強度の要望から比較的高価な材料が用いられ、また、その表面全体に絵柄や装飾を印刷することがあるので、カバーシート本体１１３が大形化するにつれて材料費が上昇し、製造コスト上昇の原因となっていた。
【００１４】
また、上下の折り返し部１１３ａ、１１３ｂの端部がカバーシート本体１１３の裏面側で水平方向の全体にわたって折り重ねられるので、ブックカバー１１０の中央にカバーシート本体１１３が３層に重ねられた帯状の凸部が水平方向に表れ、書籍１２０の表面側に装着したブックカバー１１０の美感を損ない、ブックカバー１１０を手に持つと不快な凹凸の感触を受けるものであった。
【００１５】
更に、ブックカバー１１０の全体が、少なくとも２枚のカバーシート本体１１３を重ねて形成されるので、ブックカバー１を装着した書籍１２０には、書籍１２０の厚さに少なくとも表紙１２１と裏表紙１２２を覆うカバーシート本体１１３の４枚分の厚みが加わる。そのため、厚みのあるカバーシート本体１１３を用いると書籍１２０に装着したブックカバー１１０が異常に嵩張ることとなるので、強度を得たり装飾効果を得るために厚みのあるカバーシート本体１１３を用いることができなかった。
【００１６】
本発明は、このような従来の問題点を考慮してなされたものであり、装着する書籍の外径に合わせて折り返したカバーシート本体が装着作業中に開くことがなく、書籍から外れることがないブックカバーとブックカバーの装着方法を提供することを目的とする。
【００１７】
また、ブックカバーの製造歩留まりが良く、書籍に装着したブックカバーが嵩張らないブックカバーとブックカバーの装着方法を提供することを目的とする。
【課題を解決するための手段】
【００１８】
上述の目的を達成するため、請求項１に記載のブックカバーは、縦幅と表裏表紙を展開した横幅が異なる複数の書籍のいずれの書籍の表面側にも装着自在のブックカバーであって、縦幅が複数の書籍の縦幅のうちの最大縦幅以上の長さで、横幅が複数の書籍の横幅のうちの最大横幅以上の長さの矩形状のカバーシート本体と、カバーシート本体の右辺と左辺にそれぞれ帯状に一体に連続し、縦幅が最大縦幅の２倍を越える長さの一組の表紙側帯状片及び裏表紙側帯状片と、表紙側帯状片の長手方向の一端側でカバーシート本体から鉛直方向に突出する突出端部の裏面に形成され、装着する書籍の縦幅に合わせて裏面側に折り返される表紙側帯状片の他端側の表面に粘着し、書籍の表紙を挿通する筒状の表紙側袋部を形成する表紙側粘着部と、裏表紙側帯状片の長手方向の一端側でカバーシート本体から鉛直方向に突出する突出端部の裏面に形成され、装着する書籍の縦幅に合わせて裏面側に折り返される裏表紙側帯状片の他端側の表面に粘着し、書籍の裏表紙を挿通する筒状の裏表紙側袋部を形成する裏表紙側粘着部とを備え、書籍の表裏表紙を展開した横幅に合わせて左右で裏面側に折り返されるカバーシート本体の右辺に一体に連続する表紙側袋部と左辺に一体に連続する裏表紙側袋部に、それぞれ書籍の表紙と裏表紙が挿通して、書籍の表面側に装着されることを特徴とする。
【００１９】
カバーシート本体の縦幅と横幅は、それぞれ複数の書籍の縦幅のうちの最大縦幅と複数の書籍の横幅のうちの最大横幅以上の長さの矩形状であるので、カバーシート本体は、装着する書籍がいずれの大きさであっても、その表面側の全体を覆う。
【００２０】
カバーシート本体の縦幅は、複数の書籍の縦幅のうちの最大縦幅以上の長さで、書籍の縦幅に合わせて水平線に沿って折り返された際に裏面側で上辺と下辺は必ずしも重ならないが、その右辺と左辺に一体に連続する一組の表紙側帯状片及び裏表紙側帯状片は、それぞれ縦幅が最大縦幅の２倍以上の長さであるので、他端側の表面に突出端部が重なり、相互が表紙側粘着部及び裏表紙側粘着部で粘着されて筒状に形成され、書籍の表紙を挿通する表紙側袋部と書籍の裏表紙を挿通する裏表紙側袋部が形成される。
【００２１】
書籍の表紙と裏表紙は、筒状に形成された表紙側袋部と裏表紙側袋部を挿通するので、書籍の横幅に合わせてカバーシート本体が鉛直線に沿って折り返される装着作業中に折り返したカバーシート本体は開かれない。
【００２２】
請求項２に記載のブックカバーは、カバーシート本体と表紙側帯状片と裏表紙側帯状片は、極細化学繊維を積層させた不織布からなる可撓性シートで一体に形成されていることを特徴とする。
【００２３】
カバーシート本体と表紙側帯状片と裏表紙側帯状片が可撓性シートであるので、書籍の外形に沿って容易に折り返すことができ、また、耐水性や強度があり破れにくい。
【００２４】
請求項３に記載のブックカバーは、表紙側粘着部と裏表紙側粘着部の粘着層が、一面が突出端部に貼り付けられた再剥離性粘着シートで構成されることを特徴とする。
【００２５】
再剥離性粘着シートは、表紙側粘着部と裏表紙側粘着部のいずれの位置にも粘着するので、装着する書籍の縦幅に合わせて、突出端部が対向する他端側の表面の全ての位置に粘着手段を設ける必要がない。
【００２６】
再剥離性粘着シートは、剥離を繰り返しても粘着力が衰えにくく、水洗いすることにより粘着力が再生されるので、異なる書籍に繰り返して装着することができる。
【００２７】
請求項４に記載のブックカバーは、複数の書籍の各書籍の縦幅に合わせて、カバーシート本体と表紙側帯状片と裏表紙側帯状片に複数の水平方向折り筋が形成されていることを特徴とする。
【００２８】
書籍の縦幅に一致する水平方向折り筋に沿ってカバーシート本体をカバーシートを容易に折り返すことができる。
【００２９】
請求項５に記載のブックカバーは、複数の書籍の各書籍の表裏表紙を展開した横幅に合わせて、カバーシート本体に複数の鉛直方向折り筋が形成されていることを特徴とする。
【００３０】
書籍の各書籍の表裏表紙を展開した横幅に一致する鉛直方向折り筋に沿ってカバーシート本体を容易に折り返すことができる。
【００３１】
請求項６に記載のブックカバーの装着方法は、縦幅と表裏表紙を展開した横幅が異なる複数の書籍のいずれかの書籍の表面側にブックカバーを装着するブックカバーの装着方法であって、
ブックカバーは、縦幅が複数の書籍の縦幅のうちの最大縦幅より長く、横幅が複数の書籍の横幅のうちの最大横幅以上の長さの矩形状のカバーシート本体と、カバーシート本体の右辺と左辺にそれぞれ帯状に一体に連続し、縦幅が最大縦幅の２倍を越える長さの一組の表紙側帯状片及び裏表紙側帯状片と、一組の表紙側帯状片及び裏表紙側帯状片の各長手方向の一端側で、カバーシート本体から鉛直方向に突出する突出端部の裏面に形成され、それぞれ表紙側帯状片及び裏表紙側帯状の他端側の表面に粘着する一組の表紙側粘着部及び裏表紙側粘着部とを備え、
ブックカバーを装着する書籍の縦幅に合わせた水平折り返し線に沿って、カバーシート本体とカバーシート本体の右辺と左辺に一体に連続する表紙側帯状片及び裏表紙側帯状片を裏面側に折り返し、カバーシート本体と共に裏面側に折り返された表紙側帯状片と裏表紙側帯状片の他端側の表面に一端側の突出端部を重ねて、各表面に表紙側粘着部と裏表紙側粘着部を粘着し、表紙側帯状片と裏表紙側帯状片を筒状とし、筒状の表紙側帯状片と裏表紙側帯状片にそれぞれ書籍の表紙と裏表紙を挿通した後、水平折り返し線に沿って折り返したカバー本体を、書籍の表裏表紙を展開した横幅に合わせた左右の鉛直折り返し線に沿って裏面側に折り返し、書籍の表面側にブックカバーを装着することを特徴とする。
【００３２】
カバーシート本体の縦幅と横幅は、それぞれ複数の書籍の縦幅のうちの最大縦幅と複数の書籍の横幅のうちの最大横幅以上の長さの矩形状であるので、カバーシート本体の上辺及び／又は下辺とその右辺と左辺に一体に連続する一組の表紙側帯状片及び裏表紙側帯状片とを水平折り返し線に沿って裏面側に折り返すと、カバーシート本体は、装着する書籍がいずれの大きさであっても、その表面側の全体を覆う。
【００３３】
カバーシート本体の縦幅は、複数の書籍の縦幅のうちの最大縦幅より長いので、書籍の縦幅に合わせて水平折り返し線に沿って折り返すと、カバーシート本体の上辺と下辺は裏面側で必ずしも重ならないが、その右辺と左辺に一体に連続する一組の表紙側帯状片及び裏表紙側帯状片は、それぞれ縦幅が最大縦幅の２倍以上の長さであるので、他端側の表面に突出端部が重なり、相互を表紙側粘着部及び裏表紙側粘着部で粘着して筒状に形成される。
【００３４】
筒状に形成された表紙側帯状片と裏表紙側帯状片に、書籍の表紙と裏表紙をそれぞれ挿通した後、水平折り返し線に沿って折り返したカバー本体を、書籍の表裏表紙を展開した横幅に合わせた左右の鉛直折り返し線に沿って裏面側に折り返し、書籍の表面側にブックカバーを装着する。
【００３５】
書籍の表紙と裏表紙は、書籍の横幅に合わせてカバーシート本体の左右を鉛直折り返し線に沿って折り返す前に、筒状に形成された表紙側袋部と裏表紙側袋部へ挿通するので、折り返す過程で折り返されたカバーシート本体が開かれることがない。
【発明の効果】
【００３６】
請求項１と請求項６の発明によれば、カバーシート本体の縦幅を装着する書籍の裏面側で重ねる為に最大縦幅の２倍以上の長さとする必要がなく、最大縦幅を越える長さであれば良いので、材料の歩留まりか良い。
【００３７】
また、書籍に装着する装着作業中に折り返したカバーノートが開いても戻ることがなく、装着した書籍から外れることがない。
【００３８】
また、カバーシート本体を裏面側で重ねずに書籍に装着できるので、装着したブックカバーが嵩張らず、比較的表面に凹凸の少ないブックカバーとすることができる。
【００３９】
請求項２の発明によれば、カバーシートと表紙側帯状片と裏表紙側帯状片が極細化学繊維を積層させた不織布で形成されるので、耐水性があり、破れにくく、表面に種々の装飾を印刷できる。
【００４０】
請求項３の発明によれば、再剥離性粘着シートをは、表紙側粘着部と裏表紙側粘着部のいずれの位置にも粘着するので、装着する書籍の縦幅に合わせた粘着位置にかかわらず、一方の各突出端部のみに粘着部を形成するだけで、一組の表紙側帯状片及び裏表紙側帯状片を筒状とすることができる。
【００４１】
また、同一のブックカバーを大きさの異なる書籍に繰り返し装着して使用できる。
【００４２】
請求項４の発明によれば、書籍の縦幅に合わせてカバーシートを容易に折り返すことができる。
【００４３】
請求項５の発明によれば、書籍の表裏表紙を展開した横幅に合わせてカバーシートを容易に折り返すことができる。
【図面の簡単な説明】
【００４４】
【図１】本願発明の一実施の形態に係るブックカバー１の裏面側の展開図である。
【図２】装着する書籍１２０の縦幅に一致する水平方向折り筋１１に沿って、カバーシート本体２と表紙側帯状片３と裏表紙側帯状片４とを水平に折り返す工程を示す斜視図である。
【図３】一組の突出端部３１、４１をそれぞれ表紙側粘着部５と裏表紙側粘着部６で表紙側帯状片３と裏表紙側帯状片４の他端側の表面に粘着した状態を示す平面図である。
【図４】左右に表紙側袋部７と裏表紙側袋部８が形成されたカバーシート本体２を、装着する書籍１２０の表裏表紙を展開した横幅に一致する鉛直方向折り筋１２に沿って裏面側に折り曲げた工程を示す斜視図である。
【図５】表紙側袋部７と裏表紙側袋部８に装着する書籍１２０の表紙１２１と裏表紙１２２を挿入する工程を示す斜視図である。
【図６】図４に示す鉛直方向折り筋１２２、１２４に沿ってカバーシート本体２を裏面側に折り返し、書籍１２０の表面側にブックカバー１を装着した状態を示す斜視図である。
【図７】従来のブックカバー１００の装着する書籍１２０の縦幅に合わせて上下の折り返し片１０１ａ、１０１ｂを折り返した工程を示す平面図である。
【図８】従来のブックカバー１００の書籍１２０の表裏表紙を展開した横幅に合わせて表紙側袋部１０２と裏表紙側袋部１０３を裏面側に折り返した工程を示す平面図である。
【図９】従来のブックカバー１１０の装着する書籍１２０の縦幅に合わせて上下の折り返し部１１３ａ、１１３ｂの端部を裏面側で重ねて表紙側袋部１１１と裏表紙側袋部１１２を形成した工程を示す斜視図である。
【図１０】従来のブックカバー１１０の表紙側袋部１１１と裏表紙側袋部１１２に書籍１２０の表紙１２１と裏表紙１２２を挿入する工程を示す斜視図である。
【発明を実施するための形態】
【００４５】
本発明の一実施の形態に係るブックカバー１は、縦幅が１４８ｍｍから２１０ｍｍの間で異なるのＡ６サイズの文庫、新書、Ｂ６サイズの単行本、Ａ５サイズの辞典の４種類の書籍のいずれにも装着可能なフリーサイズのブックカバーであり、以下、ブックカバー１の各部を図１を用いて、図１において図示する方向を上下、左右方向と、図示する面を裏面と、背面を表面として説明する。
【００４６】
ブックカバー１は、長方形のカバーシート本体２と、カバーシート本体２の右辺に沿って一体に連続する表紙側帯状片３と、左辺に沿って一体に連続する裏表紙側帯状片４と、表紙側帯状片３と裏表紙側帯状片４の各突出端部３１、４１の裏面の上端にそれぞれ形成される一組の表紙側粘着部５と裏表紙側粘着部６とから構成されている。
【００４７】
カバーシート本体２とその左右両側に一体に形成される表紙側帯状片３及び裏表紙側帯状片４は、一枚の極細化学繊維を積層させた不織布（例えば、極細ポリエステル繊維を積層させた不織布（登録商標ＴＹＶＥＫ））からなる可撓性シートを、図１に示す輪郭に裁断して形成される。極細化学繊維を積層させた不織布で形成することにより、ブックカバー１に耐水性と通気性があり、所定の強度が得られるので破れにくい。また、表面を紙と同等の平坦面とすることができるので、種々の絵柄を紙面と同様に印刷することができ、更に後述する再剥離性粘着シートで構成される表紙側粘着部５と裏表紙側粘着部６を高い粘着力で粘着させることができる。
【００４８】
上辺と下辺を平行に裁断して形成される長方形のカバーシート本体２の縦幅ｈｃは、ブックカバー１を装着する書籍１２０のうち、少なくとも書籍の縦幅が最大の縦幅（以下、最大縦幅ｈｍａｘという）の２１０ｍｍ以上の長さで、横幅ｗｃは、ブックカバー１を装着する書籍１２０の表裏表紙を展開した横幅が最大の横幅（以下、最大横幅ｗｍａｘという）以上の長さ（ここでは、最大横幅ｗｍａｘに等しい長さ）となっていて、これによりいずれの大きさの書籍１２０であっても、その書籍１２０の表裏表紙を展開した全体の表面がカバーシート本体２により覆われる。また、カバーシート本体２の縦幅ｈｃは、複数の書籍のうち、縦幅が最も短い最小縦幅ｈｍｉｎの２倍の２９６ｍｍ以下とするのが好ましく、これにより、いずれの大きさの書籍１２０の縦幅に合わせてカバーシート本体２の上下を裏面側に折り返しても、カバーシート本体２の上辺と下辺は重ならない。
【００４９】
カバーシート本体２の左右に一体に形成される表紙側帯状片３と裏表紙側帯状片４とは、各下端がカバーシート本体２の下辺に連続し、長手方向の長さが最大横幅ｗｍａｘの２倍を超える長さに形成されることにより、各突出端部３１、４１がカバーシート本体２より上方に帯状に突出する。
【００５０】
図１に示すように、裏表紙側帯状片４からカバーシート本体２と表紙側帯状片３にかけて連続する裏面には、装着する４種類の書籍の縦幅に合わせた５本の水平方向折り筋１１が水平方向に沿って形成されている。このうち最上方に形成される基準水平方向折り筋１１０は、４種類の書籍について共通してその上端に沿って折り返す折り筋であり、基準水平方向折り筋１１０から４種類の書籍の縦幅の間隔で、上方から文庫の下端に沿って折り返す第１水平方向折り筋１１１、新書の下端に沿って折り返す第２水平方向折り筋１１２、単行本の下端に沿って折り返す第３水平方向折り筋１１３、辞典の下端に沿って折り返す第４水平方向折り筋１１４がそれぞれ水平方向に沿って平行に形成されている。
【００５１】
また、同図に示すように、カバーシート本体２の裏面には、装着する４種類の書籍の背表紙１２３と表紙１２１の右辺と裏表紙１２２の左辺の位置に合わせた多数の鉛直方向折り筋１２が形成されている。このうち、カバーシート本体２の中央に鉛直方向に沿って形成される多数の基準鉛直方向折り筋１２０は、４種類の書籍について共通でその背表紙１２３に沿って折り返す折り筋であり、基準鉛直方向折り筋１２０の右側に、横幅が狭い表紙１２１の右辺に沿って折り返す多数の第１鉛直方向折り筋１２１と横幅が広い表紙１２３の右辺に沿って折り返す多数の第２鉛直方向折り筋１２２が、基準鉛直方向折り筋１１０の左側に、横幅が狭い裏表紙１２２の左辺に沿って折り返す多数の第３鉛直方向折り筋１２３と横幅が広い裏表紙１２２の左辺に沿って折り返す多数の第４鉛直方向折り筋１２４がそれぞれ鉛直方向に沿って形成されている。それぞれに多数の鉛直方向折り筋１２を形成するのは、綴る用紙の枚数などで横幅が異なる背表紙１２３、表紙１２１、裏表紙１２２に対していずれかの鉛直方向折り筋１２を一致させるためである。
【００５２】
一組の表紙側粘着部５と裏表紙側粘着部６は、再剥離可能な粘着シートの貼り付け面を各突出端部３１、４１の上端の裏面側に貼り付けて形成される。再剥離可能な粘着シートとしては、例えばＰＥＴ（ポリエチレンテレフタレート）からなる基材の一方の面を貼り付け面とし、他方の面を粘着面として、粘着面にポリウレタン感圧粘着材等のエラストマーからなる粘着層を形成したＴＧシート（商品名）を用いる。この粘着層は、極細化学繊維を積層させた不織布からなる突出端部３１、４１の裏面に高い粘着力で粘着し、異なる書籍にブックカバー１を装着する為に剥離を繰り返しても、粘着力が大きく衰えることがない。また、粘着シートの粘着面にゴミ、埃等が付着して粘着力が衰えた場合には、カバーシート本体２、表紙側帯状片３及び裏表紙側帯状片４が耐水性を備えているので、水洗いしてこれらを除去することにより、粘着力が再生する。
【００５３】
以下、このように構成されたブックカバー１を書籍に装着するブックカバーの装着方法を、装着する書籍１２０がＡ５サイズの辞典である場合について、図２乃至図６を用いて説明する。Ａ５サイズの辞典１２０の縦幅は、最大縦幅ｈｍａｘであるので、始めに辞典１２０の上端と下端が、それぞれ基準水平方向折り筋１１０と第４水平方向折り筋１１４に一致することを確認し、図２に示すように、基準水平方向折り筋１１０と第４水平方向折り筋１１４に沿って、カバーシート本体２と表紙側帯状片３と裏表紙側帯状片４とを裏面側に折り返す。
【００５４】
第４水平方向折り筋１１４でその下方の部分を上方に１８０度折り返した後、基準水平方向折り筋１１０でその上方の部分を下方へ１８０度折り返すと、図３に示すように、第４水平方向折り筋１１４で上方に折り返された表紙側帯状片３と裏表紙側帯状片４の表面に突出端部３１、４１が折り重ねられ、突出端部３１、４１を表面側から押圧することにより、その間に介在する表紙側粘着部５と裏表紙側粘着部６によって、突出端部３１、４１の上端部が上方に折り返された表紙側帯状片３と裏表紙側帯状片４の各表面に粘着する。
【００５５】
その結果、カバーシート本体２の右側に表紙側帯状片３の一端側と他端側が粘着して筒状の表紙側袋部７が、左側に裏表紙側帯状片４の一端側と他端側が粘着して筒状の裏表紙側袋部８がそれぞれ形成される。続いて、装着する辞典１２０の背表紙１２３を、多数の基準鉛直方向折り筋１２０が形成されたカバーシート本体２の中央に一致させた状態で、表紙１２１の右辺に位置する第２鉛直方向折り筋１２２と裏表紙１２２の左辺に位置する第４鉛直方向折り筋１２４の各位置を確認し、図４に示すように、確認した各位置に形成される第２鉛直方向折り筋１２２と第４鉛直方向折り筋１２４でカバーシート本体２を裏面側にわずかに折り曲げ、折り返し位置の目安とする。
【００５６】
基準水平方向折り筋１１０と第４水平方向折り筋１１４の鉛直方向の間隔は、辞典１２０の最大縦幅ｈｍａｘに等しいので、表紙側袋部７と裏表紙側袋部８には、それぞれ辞典１２０の表紙１２１と裏表紙１２２を挿入する隙間が形成され、表紙１２１と裏表紙１２２のいずれか一方から順に表紙側袋部７若しくは裏表紙側袋部８へ挿入する。ここでは、図５に示すように、表紙１２１の裏面が表紙側袋部７の裏面に一致する向きで、表紙１２１を右辺が折り返し位置の第２鉛直方向折り筋１２２に達するまで表紙側袋部７内へ挿入し、その後、カバーシート本体２若しくは辞典１２０を屈曲させて、裏表紙１２２の裏面が裏表紙側袋部８の裏面に一致する向きで、裏表紙１２２を左辺が折り返し位置の第４鉛直方向折り筋１２４に達するまで裏表紙側袋部８へ挿入する。
【００５７】
その後、折り返し位置にある第２鉛直方向折り筋１２２と第４鉛直方向折り筋１２４でカバーシート本体２を裏面側に１８０度完全に折り返すことによって、図６に示すように、辞典１２０の表面側にブックカバー１が装着される。
【００５８】
ここで、表紙側袋部７と裏表紙側袋部８の開口の水平方向の間隔は、辞典１２０の表紙１２１と裏表紙１２２を開いた横幅より短いので、上述のように、一方の表紙１２１若しくは裏表紙１２２を袋部７、８へ挿入した後、他方を挿入する装着作業においては、上述したようにカバーシート本体２若しくは辞典１２０を屈曲させる必要があるが、一方の表紙１２１若しくは裏表紙１２２を挿入した袋部７、８は、折り重ねられた部分が粘着部５、６で粘着され、他方の裏表紙１２２若しくは表紙１２１を、他方の袋部８、７へ挿入する装着作業においても筒状の形状が崩れることがなく、辞典１２０の表面側にブックカバー１が装着した状態で、表紙側袋部７と裏表紙側袋部８内に隙間なく、表紙１２１と裏表紙１２２が挿入される。
【００５９】
上述の実施の形態では、表紙側帯状片３と裏表紙側帯状片４の下辺を、カバーシート本体２の下辺に連続させているが、カバーシート本体２から下方に突出するものであってもよい。
【００６０】
また、カバーシート本体２を可撓性シートで形成すれば、任意の位置で折り返すことができるので、折り返し位置の目安とする水平方向折り筋や鉛直方向折り筋は必ずしも形成しなくてもよい。
【産業上の利用可能性】
【００６１】
本発明は、大きさの異なる複数の書籍のいずれにも装着可能なフリーサイズブックカバーに適している。
【符号の説明】
【００６２】
１  カバーシート
２  カバーシート本体
３  表紙側帯状片
４  裏表紙側帯状片
３１  突出端部
４１  突出端部
５  表紙側粘着部
６  裏表紙側粘着部
７  表紙側袋部
８  裏表紙側袋部
１１  水平方向折り筋
１２  鉛直方向折り筋
１２０  書籍
１２１  表紙
１２２  裏表紙
【図１】
2018065365.tif 000003
【図２】
2018065365.tif 000004
【図３】
2018065365.tif 000005
【図４】
2018065365.tif 000006
【図５】
2018065365.tif 000007
【図６】
2018065365.tif 000008
【図７】
2018065365.tif 000009
【図８】
2018065365.tif 000010
【図９】
2018065365.tif 000011
【図１０】
2018065365.tif 000012